(57)【要約】【課題】有害獣に対してその空間に居ることを忌避させ、効果的かつ多方向にこれら有害獣の侵入、横行を防止するために、従来の装置では設置位置が限定され、屋内外の多様な空間を立体的にカバーすることができなかったことから、床置きでも吊り下げでも使用できる超音波有害獣忌避装置を提供する。【解決手段】本発明の超音波有害獣忌避装置１は、上方に、超音波を下向きに放射する超音波発生部２−１を有するボックス部２と、下方に、反射板部３−２を設けた底板部３と、ボックス部２と底板部３とを連結する複数の脚部５とからなり、ボックス部２の上端に吊り下げ手段部取付部４を設けるとともに、底板部３を脚部５から取り外す、若しくは、底板部３と脚部５をボックス部２から取り外せるように構成しているので、床置きタイプとしても、吊り下げタイプとしても状況に応じて有効に使用することができ、様々な有害獣に対して有効に撃退させることが出来る。【選択図】図１
2016174592.tif 000002
【特許請求の範囲】
【請求項１】
上方に、超音波を下向きに放射する超音波発生部と、その制御部と、それらの電源部、を有するボックス部と、
下方に、底板と、底板の上に設置した反射板部と、を設けた底板部と、
ボックス部と底板部とを連結する複数の脚部と、
からなる超音波有害獣忌避装置であって、
ボックス部の上端に吊り下げ手段部取付部を設けるとともに、
底板部を脚部から取り外す、若しくは、底板部と脚部をボックス部から取り外せるように構成していることを特徴とする超音波有害獣忌避装置。
【請求項２】
超音波有害獣忌避装置は、吊り下げ手段部取付部に吊り下げ手段部を接続して使用することを特徴とする請求項１に記載の超音波有害獣忌避装置。
【請求項３】
超音波有害獣忌避装置は、吊り下げ手段部取付部に吊り下げ手段部を接続し、かつ、底板部を脚部から取り外す、若しくは、底板部と脚部をボックス部から取り外して、超音波有害獣忌避装置を吊り下げて使用することを特徴とする請求項１に記載の超音波有害獣忌避装置。
【請求項４】
超音波有害獣忌避装置は、ボックス部に受信部を設け、リモコン送信機で超音波有害獣忌避装置を遠隔操作で制御することが可能であることを特徴とする請求項１乃至請求項３のいずれかに記載の超音波有害獣忌避装置。
【請求項５】
反射板部は、反射面を四角錐状とすることを特徴とする請求項１乃至請求項３のいずれかに記載の超音波有害獣忌避装置。
【請求項６】
超音波有害獣忌避装置は、全体形状がほぼ四角錐であることを特徴とする請求項１乃至請求項３のいずれかに記載の超音波有害獣忌避装置。
【請求項７】
超音波有害獣忌避装置は、表示部が１または複数のＬＥＤランプで構成され、放射している超音波の周波数が、これらの１または複数のＬＥＤランプの点灯および点滅回数により確認できることを特徴とする請求項１乃至請求項３のいずれかに記載の超音波有害獣忌避装置。
【発明の詳細な説明】
【技術分野】
【０００１】  本発明は、超音波を放射してネズミ、イタチ等の有害獣を撃退する超音波有害獣忌避装置に関するものである。
【背景技術】
【０００２】  有害獣が住居や店舗、倉庫の建物敷地内等に侵入、横行したり、住みついたりすることで被害が多発しており、対策のためいろいろな装置が開発されている。有害獣の撃退効果が装置周辺へ拡散するよう、超音波を放射する装置や、照明を点灯点滅させる装置を使用して、有害獣を驚かせ追い払おうとすることが行われていた。
【先行技術文献】
【特許文献】
【０００３】
【特許文献１】  特開２０１４−１４３９９４号公報
【特許文献２】  特開平１０−２１０９１９号公報
【発明の概要】
【発明が解決しようとする課題】
【０００４】  特許文献１や特許文献２に記載されている装置は床置きタイプのものであるが、従来の有害獣撃退装置は、床置きタイプのものか、吊り下げタイプのものが特定されて使用されていた。しかし、倉庫において床置きタイプで使用している場合に、装置の周りに物品などが数多く置かれるようになると、物品によって超音波が阻害され、撃退効果が低下して床置きタイプではなく吊り下げタイプへの交換を余儀なくされ、逆に、吊り下げタイプを使用しているときに倉庫内にスペースが空いて、有害獣が物陰に隠れたとき、有害獣の動線となるような棚や台の下に超音波を放射できるように床置きタイプへの交換をしなければならないことがあった。
このように、従来の有害獣撃退装置は、床置きタイプのものか、吊り下げタイプのものが製造されているだけで、床置きにも吊り下げにも使用できる有害獣撃退装置がなかった。【０００５】  そこで、床置きタイプにも吊り下げタイプにも使用できる装置を開発しようとすると、床置きタイプで使用する場合であれば、一方向に向かって超音波を放射するだけでなく、超音波の放射による有害獣の撃退効果を周囲の広範囲に波及させるため、装置周囲全周へ超音波が拡散放射するように構成することが必要であり、また、吊り下げるタイプで使用する場合であれば、例えば天井に取り付けた場合、下方に向けて周囲全体に超音波が放射できるように構成する必要があり、これら両方の必要性を満足させる装置を開発する必要があった。
【課題を解決するための手段】
【０００６】  本発明の超音波有害獣忌避装置は、このような床置きタイプにも吊り下げタイプにも使用できるような超音波有害獣忌避装置にするために、上方に、超音波を下向きに放射する超音波発生部と、その制御部と、それらの電源部、を有するボックス部と、下方に、底板と、底板の上に設置した反射板部と、を設けた底板部と、ボックス部と底板部とを連結する複数の脚部と、からなる超音波有害獣忌避装置であって、ボックス部の上端に吊り下げ手段部取付部を設けるとともに、底板部を脚部から取り外す、若しくは、底板部と脚部をボックス部から取り外せるように構成していることを特徴とするものである。【０００７】  また、本発明の超音波有害獣忌避装置は、吊り下げ手段部取付部に吊り下げ手段部を接続して使用することを特徴とするものである。【０００８】  また、本発明の超音波有害獣忌避装置は、吊り下げ手段部取付部に吊り下げ手段部を接続し、かつ、底板部を脚部から取り外す、若しくは、底板部と脚部をボックス部から取り外して、超音波有害獣忌避装置を吊り下げて使用することを特徴とするものである。【０００９】  また、本発明の超音波有害獣忌避装置は、ボックス部に受信部を設け、リモコン送信機で超音波有害獣忌避装置を遠隔操作で制御可能にすることを特徴とするものである。【００１０】  また、本発明の超音波有害獣忌避装置は、反射板部の反射面を四角錐状とすることを特徴とするものである。【００１１】  また、本発明の超音波有害獣忌避装置は、全体形状がほぼ四角錐であることを特徴とするものである。【００１２】  また、本発明の超音波有害獣忌避装置は、表示部が１または複数のＬＥＤランプで構成され、放射している超音波の周波数がこれらの１または複数のＬＥＤランプの点灯および点滅回数により確認できることを特徴とするものである。
【発明の効果】
【００１３】  次に、本発明の効果について説明する。
本発明によれば、超音波有害獣忌避装置を床に置いて超音波を反射板を利用して周囲の広範囲にわたって超音波を放射させて有害獣を忌避させることができるとともに、超音波有害獣忌避装置の底板部を脚部から取り外す、若しくは、底板部と脚部をボックス部から取り外したうえで、吊下げ手段部を吊下げ手段取付部に取り付けて超音波有害獣忌避装置を吊下げて使用し、下方に向けて周囲全体に超音波が放射できるようにして有害獣を忌避させることができる【００１４】  しかも、本発明の超音波有害獣忌避装置であれば、倉庫において床置きタイプで使用している場合に、装置の周りに物品などが数多く置かれるようになると、物品によって超音波が阻害され、撃退効果が低下して床置きタイプではなく吊り下げタイプへの交換を余儀なくされても、対応することができる。また、逆に、吊り下げタイプで使用している場合に倉庫内にスペースが空いて、有害獣が物陰に隠れたとき、有害獣の動線となるような棚や台の下に超音波を放射できるように床置きタイプへの交換が必要となっても、対応することができ、状況に応じて有効に使用することができる。【００１５】  請求項２、請求項３の発明によれば、簡単な取り外しで床置き状態から吊り下げ状態に変更することができる。そして、吊り下げ手段部取付部にフックやチェーンの吊り下げ手段部を取り付け、ワイヤーで吊り下げれば、ワイヤーの長さを調整することで、高さ位置を自由に調整できるようになる。また、例えば、カーテンレールのようなレール固定具を天井に取り付けて超音波有害獣忌避装置を吊り下げれば、レールに沿って横移動することができることに加え、吊り下げ部材の長さを調整することにより、横方向、高さ方向自由自在に位置調整できる。【００１６】  また、底板部を取り付けた状態で吊り下げて使用するとき、反射板部があることで超音波が下部に放射されず、空中で水平方向全周に放射されるため、有害獣が生息または出没する棚や梁、柱などに対して高い撃退効果が期待できる。また、底板部を取り外した状態で吊り下げて使用するとき、床に置かれている物品や備品などに設置位置を影響されることなく空中から下向きに超音波を放射することで、本発明の周囲の水平方向で３６０度、垂直方向で約１２０度の放射範囲をカバーし、棚や梁、柱、床に生息または出没する有害獣に対し撃退効果が期待できる。このような構成により、様々な有害獣に対しても対応できる。【００１７】請求項４の発明によれば、ボックス部に受信部を設け、リモコン送信機で超音波有害獣忌避装置を遠隔操作で制御することが可能であり、設置する場所や高さに制約されることなく、自由に設置することができる。【００１８】  請求項５、請求項６の発明によれば、反射板部を四角錐状で構成するとともに、装置全体を四角錐に構成しているので、装置の強度が安定し、超音波の反射特性から水平方向四方向に超音波が反射され、水平方向に強弱に反射され、有害獣の恐怖心に対する特性に対して使い分けることができる。【００１９】  請求項７の発明によれば、本発明の表示部が１または複数のＬＥＤランプで構成され、放射している超音波の周波数がこれらの１または複数のＬＥＤランプの点灯および点滅回数により確認でき、設定さ��た周波数の確認が容易にできる。
【図面の簡単な説明】
【００２０】
【図１】本発明の超音波有害獣忌避装置の斜視図。
【図２】ボックス部内の構成要素を表した図。
【図３】ボックス部の底面を表した図。
【図４】床置きした時の超音波の放射イメージを表した図。
【図５】吊り下げした時の超音波の放射イメージを表した図。
【図６】制御部のチャート図。
【発明を実施するための形態】
【００２１】  次に、本発明の超音波有害獣忌避装置の具体例を以下に図１〜図６を用いて説明する。
【００２２】  本発明の超音波有害獣忌避装置１は様々な有害獣に対応できるようにした超音波有害獣忌避装置であって、その全体形状は図１に図示しているように、ほぼ四角錐であり、上方にボックス部２、下方に底板部３、ボックス部２と底板部３を連結する脚部５とからなっている。
【００２３】  先ず、ボックス部２から説明すると、ボックス部２は、図２に図示しているように、有害獣を撃退させるのに有効な超音波を放射させる超音波発生部２−１、電源部２−２、超音波発生装置から放射する超音波のパターンを制御する制御部２−３、リモコン送信機からの赤外線信号を受信するための受信部２−４、超音波の状態を確認するための表示部２−５、ＡＣアダプタ端子挿入部２−６、電源スイッチ２−７を有している。ボックス部２の底面には図３に図示しているように、超音波発生部２−１、受信部２−４、表示部２−５、ＡＣアダプタ端子挿入部２−６、電源スイッチ２−７が備えられている。
【００２４】    超音波発生部２−１は、下方に向けて放射できるようにボックス部２に設けられていて、制御部２−３の制御により超音波を放射することが出来る。超音波発生部２−１からは１５ｋＨｚ〜３８ｋＨｚの超音波が放射されるようになっている。これらの超音波の周波数が有害獣を撃退するのに有効とされている周波数である。超音波発生部２−１から放射された超音波は、下方に底板部３が設けられているときは反射板部３−２に反射されて水平方向全周へ放射され、下方に底板部３が設けられていない時は、下方に向けて直接放射される。また、ここでは下限を１５ｋＨｚとしているが、もっと低くても良い。また、上限を３８ｋＨｚとしているが、もっと高くても良い。
【００２５】  制御部２−３は超音波発生部２−１から多彩なパターンで超音波を放射できるように、超音波発生部２−１をプログラム制御する。制御部２−３は図６に図示されているように、制御部２−３には乱数発生部２−３ａ、データ処理部２−３ｂ、超音波変換部２−３ｃ、出力アンプ２−３ｄから構成されていて、乱数発生部２−３ａにより多彩なパターンの超音波が制御できるようになっている。
【００２６】  受信部２−４はリモコン送信機（図示していない）からの赤外線信号を受信し、制御信号に変換するように構成されている。リモコン送信機によって、超音波発生部２−１から放射される超音波周波数、超音波周波数の変動の頻度、変動の仕方、断続時間、断続回数などを制御できるよう、制御部２−３に制御信号を伝送する。
【００２７】  表示部２−５は赤色と緑色の２つのＬＥＤランプ２−５で構成され、放射している超音波の周波数を確認できるようになっている。例えば、赤色のＬＥＤランプが２回点滅し、緑色のＬＥＤランプが３回点滅すると、２３ｋＨｚの周波数が放射されていると認識することが出来るようになっている。
【００２８】  次に、底板部３について説明する。底板部３は、底板３−１と反射板部３−２から構成されていて、反射板部３−２は鉄やアルミニウム等の金属、ポリカーボネート等の合成樹脂等、表面が滑らかな四角錐状に作られていて、底板３−１の上面中央に配置されている。底板部３はボックス部２と複数の脚部５により連結されている。底板部３は複数の脚部５から取り外すことが出来るように構成されている。反射板部３−２の表面は堅くて滑らかなものが望ましい。
【００２９】  底板部３−１と反射板部３−２の錐体面が成す外角Ｄは、例えば１２０度〜１６０度の範囲で構成すれば、超音波を水平方向全周へ反射し放射することができる。
【００３０】  本発明の超音波有害獣忌避装置の使用法について説明する。
超音波有害獣忌避装置１のボックス部２の底面に設けられている電源スイッチ２−７の電源を入れると、制御部２−３の制御により超音波発生部２−１から多彩な発生パターンの超音波が周囲に放射される。図６で説明すると、電源スイッチ２−７のスイッチを入れると、電源が制御部２−３、出力アンプ２−３ｄ、受信部２−４、表示部２−５に供給される。
【００３１】  受信部２−４は、リモコン送信機からの赤外線信号を受信し制御部２−３に制御信号を渡す。
制御部２−３は、受け取った制御信号に応じた信号を発生し、超音波信号に変換して出力アンプ２−３ｄに伝送する。制御信号を受け取らなかった場合には、乱数発生部２−３ａが様々な超音波周波数、超音波周波数の変動の頻度、変動の仕方、断続時間、断続回数などの放射パターンの乱数を発生させ、発生させた乱数をデータ処理部２−３ｂで処理することにより信号を発生し、超音波変換部２−３ｃで超音波信号に変換して、出力アンプ２−３ｄに伝送する。出力アンプ２−３ｄは受けとった超音波信号を増幅し、超音波発生部２−１に伝送する。
【００３２】  超音波発生部２−１は増幅された超音波信号を超音波に変換して空中に放射する。
電源部２−２はＡＣアダプタ挿入部から供給された電源を制御部２−３、出力アンプ２−３ｄ、受信部２−４、表示部２−５に供給する。
表示部２−５は発生させた超音波の種類または周波数を赤色と緑色のＬＥＤランプの点滅で表示する。ＬＥＤランプの発光色はほかの色でも良い。またＬＥＤランプの数量は１または３以上でも良い。
【００３３】  本発明の超音波有害獣忌避装置を床置きタイプとして使用する場合は、有害獣が主に床面や低い棚、調理台などの下に生息または出没する場合に設置する。反射板部を有することで下部に放射されず、水平方向全周に超音波が放射され有害獣に対し高い撃退効果が期待できる。図４に記載されているように、超音波Ｕは反射板部３−１に反射されて超音波有害獣忌避装置１の周囲の水平方向で３６０度、垂直方向で約３０度の範囲で放射拡散される。
【００３４】  本発明の超音波有害獣忌避装置を吊り下げタイプで、底板部３を取り付けたまま使用する場合は、工場や倉庫、会場などで、有害獣が棚や物品や梁、柱などに生息または出没する場合や、いけすや水槽など有害獣が床部に生息、出没しづらい場合に設置する。反射板部があることで超音波が下部に放射されず、水平方向全周に高い撃退効果が期待できる。
【００３５】  本発明の超音波有害獣忌避装置を吊り下げタイプで、底板部３を外して使用する場合は、工場や倉庫、会場など、天井が高い場所で空中から下向きに超音波を広範囲に放射することで、床に置かれている物品や備品、機械類などに設置位置を影響されることなく、床や棚、梁、柱に生息または出没する有害獣に対し高い撃退効果が期待できる。図５に記載されているように、超音波Ｕは下向きに放射されて超音波有害獣忌避装置１の周囲の水平方向で３６０度、垂直方向で約１２０度の範囲で放射される。
【００３６】  例えば、倉庫においてネズミを撃退するために床置きで本発明の超音波有害獣忌避装置１を設置後、ネズミが有効に撃退できていないと思われた時、吊り下げ手段部取付部４に吊り下げ手段部６、たとえば図面４では吊り下げ手段部取付部４にフック６−１とチェーン６−２を接続し、ワイヤー、ロープなどを使って天井、梁などから吊り下げることができる。
【００３７】  以上、本発明の超音波有害獣忌避装置の実施例を説明したが、説明した構成に限定されるわけではなく、例えば全体形状は多角錐、多角柱、円錐、円柱、反射板部の形状は多角錐状、円錐状であっても良く、同様に装置周辺へ超音波が拡散放射され、有害獣の撃退効果を広範囲に波及させることが可能である。
【符号の説明】
【００３８】１        超音波有害獣忌避装置
２        ボックス部
２−１    超音波発生部
２−２    電源部
２−３    制御部
２−３ａ  乱数発生部
２−３ｂ  データ処理部
２−３ｃ  超音波変換部
２−３ｄ  出力アンプ
２−４    受信部
２−５    表示部
２−６    ＡＣアダプタ端子挿入部
２−７    電源スイッチ
３        底板部
３−１    底板
３−２    反射板部
４        吊り下げ手段部取付部
５        脚部
６        吊り下げ手段部
６−１    フック
６−２    チェーン
Ｕ        超音波の放射域
Ｄ        底板部と反射板部の錐体面との外角
【図１】
2016174592.tif 000003
【図２】
2016174592.tif 000004
【図３】
2016174592.tif 000005
【図４】
2016174592.tif 000006
【図５】
2016174592.tif 000007
【図６】
2016174592.tif 000008